(57)【要約】【課題】保管袋をテープや溶着などで閉じると、複数回の使用ができない。また、保管袋の材料として紙や、薄いプラスチックシートが主に使われているため、包装装置の段組の際に、滑りやすく荷崩れを起こしやすい欠点があった。【解決手段】機器を収納する包装箱と、前記包装箱に被せる保管袋において、前記保管袋の一端は開口部を有し、前記開口部の端部には、前記開口部を規制する規制手段を有していることを特徴とする保管袋を備えた包装装置【選択図】  図２
2005001745.tif 000002
【特許請求の範囲】
【請求項１】
機器を収納する包装箱と、前記包装箱に被せる保管袋において、前記保管袋の一端は開口部を有し、前記開口部の端部には、前記開口部を補強する補強手段を有していることを特徴とする保管袋を備えた包装装置
【請求項２】
前記開口部は、前記包装箱の天面部の面積より小さいことを特徴とする請求項１記載の保管袋を備えた包装装置
【請求項３】
前記補強手段は、開口面積を縮小させる、開口面積縮小手段もあわせ持つことを特徴とする請求項１記載の保管袋を備えた包装装置
【請求項４】
前記保管袋の天面には、包装装置の段組用のすべり防止手段を有することを特徴とする、請求項１乃至請求項３のいずれか記載の保管袋を備えた包装装置
【請求項５】
前記保管袋の材料は、ポリエチレン・シートであることを特徴とする請求項１乃至請求項４のいずれか記載の保管袋を備えた包装装置
【請求項６】
前記保管袋の封止部は、まち形状であることを特徴とする請求項１乃至請求項５のいずれか記載の保管袋を備えた包装装置
【請求項７】
前記機器は、局部洗浄便座装置であることが特徴とする請求項１乃至請求項５いずれか記載の保管袋を備えた包装装置
【発明の詳細な説明】
【０００１】
【発明の属する技術分野】
本発明は、機器を収納する包装箱と、その包装箱を保管する保管袋を備えた包装装置に関する。
【０００２】
【従来の技術】
従来は、機器をＡ工場で組立をし、Ｂ工場で付属品を収納する等の複数の場所で組立をする場合、Ａ工場でＢ工場へ輸送のため包装箱をテープにて封函してしまうと、Ｂ工場で開梱するとテープの除去により包装箱が傷んでしまうことがある。
包装箱を保護するための、保管袋としては包装箱を全体に覆う物があるが、保管袋の開口部を閉じるために、溶着やテープを用いていた。（例えば、特許文献１）
【０００３】
【特許文献１】
特開平１１−４９２２９号公報
【０００４】
【発明が解決しようとする課題】
しかしながら、従来技術は、保管袋をテープや溶着などで閉じると、複数回の使用ができい。また、保管袋の材料として紙や、薄いプラスチックシートが主に使われているため、包装装置の段組の際に、滑りやすく荷崩れを起こしやすい欠点があった。
そこで、本発明では上記の問題点を解決するため、複数回使え、全体を覆うのではなく包装装置の天面と側面を保護する保管袋を備えた包装装置を提供するものである。
【０００５】
【課題を解決するための手段及び作用・効果】
第１の発明では、これにより、機器を収納する包装箱と、前記包装箱に被せる保管袋において、前記保管袋の一端は開口部を有し、前記開口部の端部には、前記開口部を補強する補強手段を有している。保管袋と包装箱が略密着され屋外での保管の際、雨などの天候から包装箱を保護する。また、包装箱の封函を底面だけ行い、保管袋を被せるだけで保管でき、後日開梱する際も、テープによる封函をしていないため包装箱を傷めることは無い。
【０００６】
第２の発明では、第１の発明に加え前記開口部は、前記包装箱の天面部の面積より小さいことにより、保管袋と包装箱が確実に密着できる。
【０００７】
第３の発明では、第１の発明に加え、前記補強手段は、開口面積を縮小させる、開口面積縮小手段もあわせ持つことにより、包装箱のサイズが違うものでも、同サイズの保管袋を流用できる。
【０００８】
第４の発明では、第１の発明又は第２の発明に加え、前記保管袋の天面には、包装装置の段組用のすべり防止手段を有することにより、保管袋を備えた包装装置の段組の際に脱落防止となる。
【０００９】
第５の発明では、第１の発明乃至第３の発明いずれかに加え、前記保管袋の材料は、ポリエチレン・シートであることにより、屋外での耐候性に優れ、包装箱の長期保管に耐えられる。
【００１０】
第６の発明では、第１の発明乃至第５の発明いずれかに加え、前記保管袋の封止部は、まち形状であることにより、面を確実に平面化が可能となり、保管袋を形成する際の溶着部も一箇所で形成が可能となり、製造コストが安くなる。また、保管時の折り畳みも容易に可能となる。
【００１１】
第７の発明では、第１の発明乃至第６の発明のいずれかに加え前記機器は、局部洗浄便座装置であることが特徴である。年々の局部洗浄便座装置の複雑化し、大型化され限られた保管スペースに置けない場合でも保管袋を使用することにより屋外保管が可能となる。
【００１２】
【発明の実施の形態】
以下、図面を参照して本発明の実施形態を説明する。図１は、局部洗浄便座装置１を包装する包装装置の斜視図である。包装装置１０は、機能部緩衝材２、前方緩衝材３、連結部材４、連結部材５、傷防止部材６、包装箱７、封函テープ８で構成される。本発明の機能部緩衝材２、前方緩衝材３、連結部材４、連結部材５、傷防止部材６、包装箱７の材料はダンボール材を使用している。
【００１３】
局部洗浄便座装置１は、給水源からの水を温水にする熱交換ユニットや温水を局部へ噴出するノズル、使用後局部の洗浄水を乾かす乾燥ユニット、制御を行うコントローラ等（図示無し）の機能部を収納するケーシング、便蓋、便座を有している。
機能部緩衝材２は、前記機能部を支える土台であり、前方緩衝材３は前記便座を支える緩衝材である。連結部材４、５は機能部緩衝材２、前方緩衝材３を連結する部材であり、傷防止部材６は、梱包開封時、カッターを使用して封函テープを切る場合、製品に傷を防止するための保護部材である。包装箱７で、これらの緩衝部材と局部洗浄便座装置１を収納する。包装箱７は、封函テープ８にて底面を封函する。また、別の場所又は別の機会に付属品等を収納する場合は、天面は封函しない。
【００１４】
図２は本発明の実施形態の１つであり、前記包装装置１０の封函していない天面を、保管袋２０を被せる。保管袋２０は、薄手のビニール・シートからなり、一端が開口し、前記開口の面積は、包装箱７の投影面より若干大きく、また、保管袋２０の高さは、包装箱７の高さより低い、角筒形状である。
保管袋２０の天面２１は、平らな面であり、天面２１の内側は包装箱７の天面と当接する。また、保管袋２０の開口部の四辺には折り返し部２３が設けており、その折り返し部２３には、紐２２が内装されている。折り返し部２３はミシン加工又は、熱溶着等で側面へ固定が可能である。この紐２２は、開口部の端面を補強するものである。また、開口部の面積を包装箱の天面２１の面積より若干小さくし、包装箱をつぶしながら被せると密着し固定することも可能である。
【００１５】
図３は、本発明の実施形態２である。前述の実施形態に加え、保管袋２０の開口部の面積を調整する紐２２の両端部２２ａを袋外に露出させる。よって、保管袋２０を包装箱７が被せ、両端部２２ａを引っ張り結ぶことにより、開口部と包装箱７の側面が確実に当接される。この紐２２による開口部の面積の変更により、包装箱７と保管袋２０のサイズが若干違っていても、調整し使用が可能となる。
【００１６】
図４は、本発明の実施形態３である。一端を開口する保管箱３０を包装装置１０に被せる。保管箱３０の材質は、包装箱と同一材料であるダンボール材を使う。また、図７は保管箱３０の展開図であり、天面の内フラップ３０ａ、外フラップ３０ｂ、側面３０ｃ、接着面３０ｄで立体を形成される。
【００１７】
図５は、本発明の実施形態１、２に追加して、保管袋２０の天面に、段組の際のすべり防止用のすべり防止部材４０を設けている。すべり防止部材４０は、熱溶着にてシートに固定する。
【００１８】
図６は、本発明の保管袋２０の内面展開図である。前述のとおり、角筒形状を形成するために天面２０ｃと一対の側面２０ａ、一対の側面２０ｂで概略構成され、下端部には、紐２２を内装させる折り返し部２３を形成する、折り返し片２０ｄと、溶着代２０ｅが形成されている。図中の一点鎖線は谷折りを示し、破線は山折を示す。これにより、保管袋２０は折り畳みが可能な立体を形成する。
【００１９】
図７は、本発明の保管袋の別実施例であり、図７（ａ）は、制作手順の説明図であり、図７（ｂ）は折り畳み図である。保管袋４０は、インフレーション成形によって、筒体に成形し、両端部４１を筒中心に向かって折り曲げ、溶着代４２を溶着する。また、折り返し部を折り返し、紐２２を組み込む（まち形状）。前記両端部を折り曲げることにより、保管時に折り畳みが容易と省スペース化となる。また、溶着を前述の実施例に比べて一回で済むため、作業工程が減らせる。
【００２０】
以上により、例えば、温水洗浄便座装置の主組立をＡ工場で行い、付属部品を別のＢ工場で行う場合、包装箱の天面を封函しなくても、保管袋を被せることによりＢ工場への輸送が可能となる。また、保管袋はビニール・シートであれば野外に保管しても、包装箱の劣化が防げる。また、ビニール・シートの材質は、ポリエチレンシートであることで、耐候性に優れる。
【図面の簡単な説明】
【図１】包装装置の斜視図
【図２】開口部規制手段を有する包装装置の斜視図
【図３】開口部変更手段及び規制手段を有する包装装置の斜視図
【図４】ダンボール材の保管袋を有する包装装置の斜視図
【図５】保管袋の天面部に滑り止めを有する包装装置の斜視図
【図６】保管袋内面展開図
【図７】別実施例の保管袋
【符号の説明】
１  局部洗浄便座装置
２  機能部緩衝材
３  前方緩衝材
４  連結部材
５  連結部材
８  封函テープ
７  包装箱
１０  包装装置
２０  保管袋
４０  すべり防止部材４０
【図１】
2005001745.tif 000003
【図２】
2005001745.tif 000004
【図３】
2005001745.tif 000005
【図４】
2005001745.tif 000006
【図５】
2005001745.tif 000007
【図６】
2005001745.tif 000008
【図７】
2005001745.tif 000009